(57)【特許請求の範囲】
【請求項１】
貫通孔が設けられた第一壁を有した筐体と、
前記筐体に収容され、前記第一壁と交差した第一方向に前記貫通孔と離れて位置されたスイッチと、
前記筐体に収容され、前記貫通孔と面した位置から前記スイッチと面した位置まで延びた中継部を有した押し部材と、
前記第一壁の外面に露出したベース部と、前記ベース部から前記中継部に向けて延びるとともに前記貫通孔に挿入された挿入部と、を有し、前記中継部を介して前記スイッチを押圧可能な押しボタンと、
少なくとも前記挿入部と前記貫通孔の内面との間に介在されたシール部材と、
前記筐体に収容され、前記第一方向と交差した第二方向に前記挿入部と重なって位置されたアンテナと、
を備えた、電子機器。
【請求項２】
貫通孔が設けられた第一壁を有した筐体と、
前記筐体に収容され、前記第一壁と交差した第一方向に前記貫通孔と離れて位置されたスイッチと、
前記筐体に収容され、前記貫通孔と面した位置から前記スイッチと面した位置まで延びた中継部を有した押し部材と、
前記第一壁の外面に露出したベース部と、前記ベース部から前記中継部に向けて延びるとともに前記貫通孔に挿入された挿入部と、を有し、前記中継部を介して前記スイッチを押圧可能な押しボタンと、
少なくとも前記挿入部と前記貫通孔の内面との間に介在されたシール部材と、
を備え、
前記筐体は、前記第一壁と交差した第二壁を有し、
前記第二壁には、前記ベース部と前記第一壁の外面との間から浸入した水を排出可能な排水口と、前記第一方向に前記貫通孔と離れて位置され、前記排水口の前記第一壁とは反対側で前記第二壁から前記筐体の内部に延びたリブと、が設けられた、電子機器。
【請求項３】
前記筐体に収容され、前記第一方向と交差した第二方向に前記挿入部と重なって位置されたアンテナを備えた、請求項２に記載の電子機器。
【請求項４】
前記押し部材は、発光素子の光を当該発光素子とは離れた位置へ導く導光部を有した、請求項１または３に記載の電子機器。
【請求項５】
前記筐体に収容され、前記発光素子と前記スイッチとが実装された基板を備えた、請求項４に記載の電子機器。
【請求項６】
前記基板には、複数の前記スイッチが設けられ、
前記押し部材は、前記複数のスイッチのそれぞれに対応して設けられた複数の前記中継部と、前記複数の中継部を接続するとともに当該中継部が前記スイッチのそれぞれを個別に押圧可能な状態に支持した支持部と、を有した、請求項５に記載の電子機器。
【請求項７】
前記筐体に収容され、前記複数の中継部と前記複数のスイッチとのそれぞれが前記第一方向に対向する状態に前記基板と前記押し部材とを一体に保持する保持部材を備えた、請求項６に記載の電子機器。
【発明の詳細な説明】
【技術分野】
【０００１】
本発明は、電子機器に関する。
【背景技術】
【０００２】
従来、筐体の外面に露出した押しボタンが、筐体の内側に設けられたスイッチを、押し部材を介して押圧可能に構成された電子機器が、知られている（例えば、特許文献１参照）。
【先行技術文献】
【特許文献】
【０００３】
【特許文献１】特開２０１９−７１２５４号公報
【発明の概要】
【発明が解決しようとする課題】
【０００４】
上記従来の電子機器では、例えば、スイッチが筐体内で貫通孔に近接して位置されているため、貫通孔から筐体内に万が一水が浸入した場合に、スイッチに影響を及ぼしてしまう虞があった。
【０００５】
そこで、本発明の課題の一つは、筐体内への水の浸入によって生じるスイッチへの影響を抑制できるような新規な構成の電子機器を得ることである。
【課題を解決するための手段】
【０００６】
本発明の第一態様にかかる電子機器は、貫通孔が設けられた第一壁を有した筐体と、前記筐体に収容され、前記第一壁と交差した第一方向に前記貫通孔と離れて位置されたスイッチと、前記筐体に収容され、前記貫通孔と面した位置から前記スイッチと面した位置まで延びた中継部を有した押し部材と、前記第一壁の外面に露出したベース部と、前記ベース部から前記中継部に向けて延びるとともに前記貫通孔に挿入された挿入部と、を有し、前記中継部を介して前記スイッチを押圧可能な押しボタンと、少なくとも前記挿入部と前記貫通孔の内面との間に介在されたシール部材と、前記筐体に収容され、前記第一方向と交差した第二方向に前記挿入部と重なって位置されたアンテナと、を備える。
本発明の第二態様にかかる電子機器は、貫通孔が設けられた第一壁を有した筐体と、前記筐体に収容され、前記第一壁と交差した第一方向に前記貫通孔と離れて位置されたスイッチと、前記筐体に収容され、前記貫通孔と面した位置から前記スイッチと面した位置まで延びた中継部を有した押し部材と、前記第一壁の外面に露出したベース部と、前記ベース部から前記中継部に向けて延びるとともに前記貫通孔に挿入された挿入部と、を有し、前記中継部を介して前記スイッチを押圧可能な押しボタンと、少なくとも前記挿入部と前記貫通孔の内面との間に介在されたシール部材と、を備え、前記筐体は、前記第一壁と交差した第二壁を有し、前記第二壁には、前記ベース部と前記第一壁の外面との間から浸入した水を排出可能な排水口と、前記第一方向に前記貫通孔と離れて位置され、前記排水口の前記第一壁とは反対側で前記第二壁から前記筐体の内部に延びたリブと、が設けられる。
【０００７】
また、前記筐体に収容され、前記第一方向と交差した第二方向に前記挿入部と重なって位置されたアンテナを備える。
【０００８】
また、前記押し部材は、発光素子の光を当該発光素子とは離れた位置へ導く導光部を有している。
【０００９】
また、前記筐体に収容され、前記発光素子と前記スイッチとが実装された基板を備える。
【００１０】
また、前記基板には、複数の前記スイッチが設けられ、前記押し部材は、前記複数のスイッチのそれぞれに対応して設けられた複数の前記中継部と、前記複数の中継部を接続するとともに当該中継部が前記スイッチのそれぞれを個別に押圧可能な状態に支持した支持部と、を有している。
【００１１】
また、前記筐体に収容され、前記複数の中継部と前記複数のスイッチとのそれぞれが前記第一方向に対向する状態に前記基板と前記押し部材とを一体に保持する保持部材を備える。
【発明の効果】
【００１３】
本発明の上記態様によれば、筐体内への水の浸入によって生じるスイッチへの影響を抑制できるような新規な構成の電子機器を得ることができる。
【図面の簡単な説明】
【００１４】
【図１】図１は、実施形態の電子機器の正面側からの例示的な斜視図である。
【図２】図２は、実施形態の電子機器の背面側からの例示的な斜視図である。
【図３】図３は、図２のサイドキーの拡大図である。
【図４】図４は、実施形態のサイドキーの分解斜視図である。
【図５】図５は、実施形態のサイドキーの平面図である。
【図６】図６は、実施形態のサイドキーの断面図である。
【図７】図７は、実施形態のサイドキーの一部の拡大図である。
【図８】図８は、実施形態の押し部材および基板が一体化された状態の保持部材の斜視図である。
【図９】図９は、実施形態の押し部材および基板が取り外された状態の保持部材の斜視図である。
【発明を実施するための形態】
【００１５】
以下、本発明の例示的な実施形態が開示される。以下に示される実施形態の構成、ならびに当該構成によってもたらされる作用および効果は、一例である。本発明は、以下の実施形態に開示される構成以外によっても実現可能である。また、本発明によれば、構成によって得られる種々の効果（派生的な効果も含む）のうち少なくとも一つを得ることが可能である。
【００１６】
なお、本明細書では、序数は、部品や、部材、部位、位置、方向等を区別するためだけに用いられており、順番や優先度を示すものではない。
【００１７】
［実施形態］
図１は、実施形態の電子機器１の正面側からの斜視図であり、図２は、電子機器１の背面側からの斜視図である。なお、以下の説明では、便宜上、互いに直交する三方向が定義されている。Ｘ方向は、電子機器１の厚さ方向（前後方向）に沿い、Ｙ方向は、電子機器１の横幅方向（左右方向、長手方向）に沿い、Ｚ方向は、電子機器１の縦幅方向（上下方向、短手方向）に沿う。
【００１８】
また、以下の説明では、便宜上、Ｘ方向は後方と称され、Ｘ方向の反対方向は前方と称され、Ｙ方向は左方と称され、Ｙ方向の反対方向は右方と称され、Ｚ方向は上方と称され、Ｚ方向の反対方向は下方と称される場合がある。
【００１９】
図１および図２に示されるように、電子機器１は、例えば、タブレット型のパーソナルコンピュータとして構成されている。電子機器１は、筐体２と、表示装置３と、タッチパネル４と、内部部品５と、弾性体６と、を備えている。なお、電子機器１は、この例には限定されず、例えば、スマートフォンや、携帯電話、ゲーム機等であってもよい。電子機器１は、携帯型情報機器等とも称される。
【００２０】
筐体２は、例えば、表示画面３ａが露出する前面２ａ１と、前面２ａ１とは反対側を向いた後面２ｂ１と、を有する。表示装置３は、表示画面３ａが前方から視認可能な状態に、筐体２に支持されている。また、前面２ａ１の一部および表示画面３ａは、タッチパネル４の透明部によって覆われている。
【００２１】
筐体２は、例えば、Ｘ方向に扁平な直方体状の箱型に構成されている。筐体２は、前壁２ａや、後壁２ｂ、左壁２ｃ、上壁２ｄ、右壁２ｅ、下壁２ｆ等の複数の壁を有している。左壁２ｃ、上壁２ｄ、右壁２ｅ、および下壁２ｆは、側壁や、周壁、立壁等とも称される。
【００２２】
前壁２ａは、表示装置３の表示画面３ａが露出する四角形状の枠状に構成されている。前壁２ａは、前面２ａ１を含み、筐体２の前端部を構成している。後壁２ｂは、Ｘ方向と直交する方向（ＹＺ平面）に沿って延びた四角形状の板状に構成され、前壁２ａのＸ方向に離間して位置されている。後壁２ｂは、後面２ｂ１を含み、筐体２の後端部を構成している。
【００２３】
左壁２ｃおよび右壁２ｅは、いずれも、Ｙ方向と直交する方向（ＸＺ平面）に沿って延びており、Ｙ方向に間隔をあけて互いに平行に設けられている。左壁２ｃは、前壁２ａおよび後壁２ｂのＹ方向の端部の間に亘り、右壁２ｅは、前壁２ａおよび後壁２ｂのＹ方向の反対方向の端部の間に亘っている。左壁２ｃには、通気口７が設けられている。左壁２ｃは、筐体２の左端部を構成し、右壁２ｅは、筐体２の右端部を構成している。
【００２４】
上壁２ｄおよび下壁２ｆは、いずれも、Ｚ方向と直交する方向（ＸＹ平面）に沿って延びており、Ｚ方向に間隔をあけて互いに平行に設けられている。上壁２ｄは、前壁２ａおよび後壁２ｂのＺ方向の端部の間に亘り、下壁２ｆは、前壁２ａおよび後壁２ｂのＺ方向の反対方向の端部の間に亘っている。上壁２ｄには、後述する複数のサイドキー１６〜１９が設けられている。上壁２ｄは、筐体２の上端部を構成し、下壁２ｆは、筐体２の下端部を構成している。
【００２５】
また、筐体２には、四つの角部２ｈ〜２ｋが設けられている。角部２ｈは、左壁２ｃと上壁２ｄとの交差部によって構成され、角部２ｉは、上壁２ｄと右壁２ｅとの交差部によって構成されている。また、角部２ｊは、右壁２ｅと下壁２ｆとの交差部によって構成され、角部２ｋは、下壁２ｆと左壁２ｃとの交差部によって構成されている。各角部２ｈ〜２ｋは、角丸（角Ｒ）状に構成され、弾性体６によって覆われている。
【００２６】
弾性体６は、例えば、エラストマやゴム等によって構成されている。弾性体６は、電子機器１が置かれる設置面１００と筐体２との干渉を抑制する機能や、筐体２が設置面１００に対して滑ったりがたついたりするのを抑制する機能、筐体２の角部２ｈ〜２ｋを保護する機能等を有している。弾性体６は、保護部材（コーナーガード）や、滑り止め部材、ゴム脚等とも称される。
【００２７】
表示装置３は、例えば、液晶ディスプレイ（ＬＣＤ，Liquid  Crystal  Display）である。表示装置３は、Ｘ方向に扁平な直方体状に構成されている。なお、表示装置３は、この例には限定されず、例えば、有機ＥＬディスプレイ（ＯＥＬＤ，Organic  Electro-Luminescent  Display）等であってもよい。また、タッチパネル４は、例えば、表示装置３内に組み込まれた所謂インセルタッチパネルとして構成されてもよい。
【００２８】
内部部品５は、例えば、ＣＰＵ（Central  Processing  Unit）や、ＲＯＭ（Read  Only  Memory）、ＲＡＭ（Random  Access  Memory）等の複数の電子部品が実装されたメイン基板等を含んでいる。メイン基板内の配線とこれら複数の電子部品とによって、電子機器１の制御回路の少なくとも一部が構成されている。
【００２９】
また、筐体２は、例えば、フロントカバー２１や、リヤカバー２２、ボタンカバー２０（図３参照）等のような複数の部品（分割体）の組み合わせによって構成されている。フロントカバー２１、リヤカバー２２、およびボタンカバー２０は、合成樹脂材料等によって作られる。
【００３０】
フロントカバー２１およびリヤカバー２２は、互いにＸ方向に並んでいる。リヤカバー２２は、例えば、後壁２ｂと、左壁２ｃ、上壁２ｄ、右壁２ｅ、および下壁２ｆのそれぞれの一部と、を有している。フロントカバー２１は、例えば、前壁２ａと、左壁２ｃ、上壁２ｄ、右壁２ｅ、および下壁２ｆのそれぞれの一部と、を有している。
【００３１】
また、ボタンカバー２０（図３参照）は、例えば、上壁２ｄの一部等を有している。フロントカバー２１、リヤカバー２２、およびボタンカバー２０は、爪による所謂スナップフィットや、ネジ等の結合具によって互いに結合（一体化）される。
【００３２】
図３は、図２のサイドキー１６〜１９の拡大図であり、図４は、サイドキー１６〜１９の分解斜視図である。図３および図４に示されるように、筐体２の上壁２ｄには、複数のサイドキー１６〜１９が設けられている。本実施形態では、上壁２ｄは、第一壁の一例であり、Ｚ方向（の反対方向）は、上壁２ｄと交差した第一方向の一例である。
【００３３】
サイドキー１６〜１９は、Ｙ方向に互いに間隔をあけて並んでいる。本実施形態では、例えば、サイドキー１６は、電源ボタンであり、サイドキー１７，１８は、ボリュームボタンであり、サイドキー１９は、アプリボタン等である。サイドキー１６〜１９は、サイドボタンや、押しボタンスイッチ、押しボタンスイッチ装置等とも称される。
【００３４】
図４に示されるように、サイドキー１６〜１９は、例えば、スイッチ１２と、押し部材１０と、シール部材１４と、押しボタン８と、を有している。スイッチ１２は、基板１１に実装されている。本実施形態では、スイッチ１２および基板１１は、上壁２ｄに設けられた貫通孔２ｓからＺ方向の反対方向に離れて位置されている。
【００３５】
また、基板１１には、サイドキー１６〜１９に対応して複数のスイッチ１２がＹ方向に互いに間隔をあけて設けられている。なお、スイッチ１２（サイドキー１６〜１９）の数は、この例には限定されず、例えば、一つや、二つ、三つ、あるいは五つ以上であってもよい。
【００３６】
また、基板１１には、ＬＥＤ１３が実装されている。ＬＥＤ１３は、例えば、サイドキー１６（電源ボタン）に対応するスイッチ１２のＹ方向に隣接して設けられている。本実施形態では、ＬＥＤ１３の光は、後述する押し部材１０の導光部１０ｃによって筐体２の内部からタッチパネル４の前面２ａ１側に導光される。ＬＥＤ１３は、発光素子の一例である。
【００３７】
また、基板１１および押し部材１０は、後述する保持部材１５によって一体に保持される。保持部材１５は、基板１１のスイッチ１２と押し部材１０の中継部１０ａとをＺ方向に位置合わせする機能を有している。保持部材１５は、基板１１および押し部材１０と一体化された状態で、Ｘ方向に貫通するネジやボルト等の結合具２５によって筐体２に固定される。
【００３８】
押しボタン８は、例えば、ベース部８ａと、挿入部８ｂと、をそれぞれ有している。ベース部８ａは、上述したボタンカバー２０およびシール部材１４とともに上壁２ｄの凹部２ｔ内に収容される。ベース部８ａは、凹部２ｔに装着された状態では、ボタンカバー２０によってＺ方向への移動（抜け）が制限されるとともに、上壁２ｄの外面２ｄ１に露出する。ベース部８ａは、キートップ等とも称される。
【００３９】
挿入部８ｂは、ベース部８ａから押し部材１０の中継部１０ａに向けてＺ方向に沿って延びている。挿入部８ｂは、ベース部８ａよりも小径である。挿入部８ｂは、シール部材１４の筒状部１４ａとともに凹部２ｔの底部に設けられた貫通孔２ｓ内に挿入される。なお、上壁２ｄには、四つの貫通孔２ｓがＹ方向に互いに間隔をあけて設けられている。挿入部８ｂは、突出部や、軸部、伝達部等とも称される。
【００４０】
図５は、サイドキー１６〜１９の平面図である。図５に示されるように、押し部材１０は、例えば、中継部１０ａと、支持部１０ｂと、導光部１０ｃと、を有している。導光部１０ｃは、上述したＬＥＤ１３の光を当該ＬＥＤ１３とは離れた位置に導光可能である。導光部１０ｃを含む押し部材１０は、例えば、半透明のエラストマや合成樹脂材料等の絶縁材料によって作られる。
【００４１】
中継部１０ａは、例えば、Ｚ方向に細長く延びた棒状に構成されている。中継部１０ａは、押し部材１０が筐体２に取り付けられた状態では、上述した上壁２ｄの貫通孔２ｓと基板１１のスイッチ１２との間に亘ってＺ方向に延びている。押し部材１０には、四つの中継部１０ａがＹ方向に互いに間隔をあけて設けられている。中継部１０ａは、中間部や、延部、押し子等とも称される。
【００４２】
支持部１０ｂは、Ｙ方向に沿って延びており、複数の中継部１０ａを接続（連結）している。支持部１０ｂには、Ｘ方向に貫通し、後述する保持部材１５の突起１５ｅ（図８参照）が挿入される複数の開口部１０ｆが設けられている。開口部１０ｆは、Ｙ方向に互いに隣接した二つの中継部１０ａの間に位置されている。
【００４３】
そして、本実施形態では、例えば、複数の押しボタン８のうちいずれか一つが押された場合に、当該押しボタン８に対応する中継部１０ａが開口部１０ｆを支点にＺ方向の反対方向に撓むことによって、当該中継部１０ａに対応するスイッチ１２を押すことができる。すなわち、支持部１０ｂは、複数の中継部１０ａがスイッチ１２のそれぞれを個別に押圧可能な状態に支持している。
【００４４】
図６は、サイドキー１８の断面図である。図６に示されるように、シール部材１４は、例えば、筒状部１４ａと、フランジ部１４ｂと、底板部１４ｃと、を有している。筒状部１４ａは、貫通孔２ｓのＺ方向の中心軸を中心とした円筒状に構成されている。筒状部１４ａは、貫通孔２ｓの内面２ｓ１と挿入部８ｂとの間に介在され、当該内面２ｓ１と挿入部８ｂとの間をシールする。
【００４５】
なお、筒状部１４ａには、貫通孔２ｓの内面２ｓ１に設けられた凹部に係合される凸部が設けられうる。これにより、シール部材１４のＺ方向への移動（抜け）が制限される。シール部材１４は、止水ゴムや、パッキン、ガスケット等とも称される。
【００４６】
フランジ部１４ｂは、筒状部１４ａのＺ方向の端部から貫通孔２ｓの中心軸の径方向の外方に張り出している。フランジ部１４ｂは、貫通孔２ｓの周縁部、すなわち凹部２ｔの底部に支持され、当該凹部２ｔの底部との間をシールする。本実施形態では、シール部材１４（図４参照）は、複数のフランジ部１４ｂが接続されてＹ方向に一体化されている。
【００４７】
図６に示されるように、底板部１４ｃは、筒状部１４ａのＺ方向の反対方向の端部に位置され、当該端部を閉じている。言い換えると、筒状部１４ａおよび底板部１４ｃは、Ｚ方向に開放された略Ｕ字状の断面を有している。底板部１４ｃは、押しボタン８の挿入部８ｂと押し部材１０の中継部１０ａとの間に介在されている。すなわち、押しボタン８は、底板部１４ｃを介して中継部１０ａをＺ方向の反対方向に押圧可能である。
【００４８】
また、後壁２ｂには、排水口２３が設けられている。排水口２３は、後壁２ｂをＸ方向に貫通するとともに、押しボタン８のベース部８ａに沿ってＹ方向に細長く延びている。排水口２３は、挿入部８ｂのＸ方向に押しボタン８と近接（隣接）して設けられており、ベース部８ａと上壁２ｄの外面２ｄ１との間から浸入した水を筐体２外に排出可能である。後壁２ｂは、第二壁の一例である。
【００４９】
また、後壁２ｂには、排水口２３とＺ方向に並んでリブ２４が設けられている。リブ２４は、排水口２３の上壁２ｄとは反対側、すなわちＺ方向の反対方向に位置され、上壁２ｄに沿って延びている。リブ２４のＺ方向の外側面と後壁２ｂの内面との間には、水を入り難くする段差が形成されている。また、リブ２４のＺ方向の外側面は、上壁２ｄ（凹部２ｔ）の内面を支持している。
【００５０】
また、筐体２には、押しボタン８の挿入部８ｂおよびシール部材１４の筒状部１４ａとＸ方向に並んでアンテナ９ａが配置されている。具体的には、アンテナ９ａは、前壁２ａと凹部２ｔの側部との間のＸ方向の隙間２ｕに収容されている。隙間２ｕは、アンダーカット形状等とも称される。本実施形態では、アンテナ９ａは、押し部材１０によって基板１１および表示装置３とＺ方向に離間して位置されている。Ｘ方向は、第二方向の一例である。
【００５１】
図７は、サイドキー１６〜１９の一部の拡大図である。図７に示されるように、アンテナユニット９は、例えば、アンテナ９ａと、センサ９ｂと、を有している。アンテナ９ａは、ケーブル等を介してアンテナ基板と電気的に接続されている。アンテナ９ａは、例えば、無線ＷＡＮ（Wide  Area  Network）用のアンテナである。
【００５２】
センサ９ｂは、例えば、アンテナユニット９のＹ方向の反対方向の端部に設けられている。言い換えると、センサ９ｂは、アンテナ９ａとＹ方向に離間して位置されている。センサ９ｂは、例えば、近接センサ等である。なお、アンテナ９ａおよびセンサ９ｂは、この例には限定されない。
【００５３】
また、押し部材１０は、例えば、光導入部１０ｄと、発光部１０ｅ（図８参照）と、を有している。光導入部１０ｄは、導光部１０ｃの一端部に設けられている。光導入部１０ｄは、ＬＥＤ１３と面した状態に配置される。光導入部１０ｄから導光部１０ｃ内に入射したＬＥＤ１３の光は、当該導光部１０ｃの内側で繰り返し反射しながら、導光部１０ｃの他端部に向けて伝播する。
【００５４】
発光部１０ｅは、導光部１０ｃの他端部に設けられている。発光部１０ｅは、タッチパネル４と面した状態に配置される。発光部１０ｅは、導光部１０ｃの他端部に伝播されたＬＥＤ１３の光によって発光可能である。発光部１０ｅは、例えば、サイドキー１６の電源ステータス等をタッチパネル４の前面２ａ１側に表示することができる。発光部１０ｅは、光出射部等とも称される。
【００５５】
図８は、押し部材１０および基板１１が一体化された状態の保持部材１５の斜視図であり、図９は、押し部材１０および基板１１が取り外された状態の保持部材１５の斜視図である。図８，９に示されるように、保持部材１５は、例えば、底壁１５ａや、立壁１５ｂ、リブ１５ｃ、突起１５ｅ等を有している。
【００５６】
底壁１５ａは、例えば、Ｘ方向と直交する方向（ＹＺ平面）に沿って延びた四角形状の板状に構成されている。底壁１５ａのＹ方向の両端部には、上述した結合具２５（図４参照）が挿入される開口部１５ｈが設けられている。立壁１５ｂや、リブ１５ｃ、突起１５ｅ等は、底壁１５ａからＸ方向の反対方向に突出している。
【００５７】
立壁１５ｂは、例えば、Ｚ方向と直交する方向（ＸＹ平面）に沿って延びた四角形状の板状に構成されている。立壁１５ｂは、基板１１のスイッチ１２とは反対側の面を支持する。また、立壁１５ｂのＺ方向の面には、基板１１のＸ方向の反対方向への抜け止め用の爪等が設けられうる。
【００５８】
リブ１５ｃは、基板１１の立壁１５ｂとは反対側に位置され、立壁１５ｂに沿って延びている。リブ１５ｃは、基板１１のスイッチ１２側の面を支持する。すなわち、基板１１は、立壁１５ｂとリブ１５ｃとの間のＺ方向の隙間に収容される。また、リブ１５ｃには、押し部材１０の中継部１０ａが挿通される切欠部１５ｄが設けられている。
【００５９】
突起１５ｅは、リブ１５ｃの立壁１５ｂとは反対側に離間して位置されている。突起１５ｅは、上述した押し部材１０の開口部１０ｆ内に挿入される。すなわち、保持部材１５には、Ｙ方向に互いに間隔をあけて複数の突起１５ｅが設けられている。突起１５ｅは、開口部１０ｆの内面との当接によって、押し部材１０の保持部材１５に対する底壁１５ａに沿ったＹＺ平面への移動を制限する。突起１５ｅおよび開口部１０ｆは、位置決め部の一例である。
【００６０】
また、底壁１５ａのＺ方向の端部には、保持部材１５の筐体２に対する位置決め用の複数の爪部１５ｆ，１５ｇが設けられている。爪部１５ｆ，１５ｇは、例えば、筐体２に設けられうる被係止部との引っ掛かりによって、保持部材１５の筐体２に対する前壁２ａ（図４参照）に沿ったＹＺ平面への移動を制限する。
【００６１】
以上のように、本実施形態では、電子機器１は、貫通孔２ｓが設けられた上壁２ｄ（第一壁）を有した筐体２と、筐体２に収容され上壁２ｄと交差したＺ方向（第一方向）に貫通孔２ｓと離れて位置されたスイッチ１２と、筐体２に収容され貫通孔２ｓと面した位置からスイッチ１２と面した位置まで延びた中継部１０ａを有した押し部材１０と、上壁２ｄの外面２ｄ１に露出したベース部８ａと、ベース部８ａから中継部１０ａに向けて延びるとともに貫通孔２ｓに挿入された挿入部８ｂと、を有し、中継部１０ａを介してスイッチ１２を押圧可能な押しボタン８と、少なくとも挿入部８ｂと貫通孔２ｓの内面２ｓ１との間に介在されたシール部材１４と、を備える。
【００６２】
このような構成によれば、例えば、押し部材１０の中継部１０ａによってスイッチ１２を貫通孔２ｓからＺ方向に沿ってより遠くに離して配置することができる。その結果、例えば、貫通孔２ｓから筐体２内に万が一水が浸入したとしても、当該水の浸入によって生じるスイッチ１２や当該スイッチ１２が実装される基板１１等への影響が抑制されやすい。
【００６３】
また、本実施形態では、電子機器１は、筐体２に収容され、Ｚ方向と交差したＸ方向（第二方向）に挿入部８ｂと重なって位置されたアンテナ９ａを備えている。
【００６４】
このような構成によれば、例えば、筐体２内においてアンテナ９ａとスイッチ１２や当該スイッチ１２が実装される基板１１とをＺ方向により遠くに離して配置することができる。これにより、例えば、アンテナ特性の劣化が抑制されやすく、ひいてはＥＭＣ（Electro  Magnetic  Compatibility）の対策を行なうことができる。
【００６５】
また、本実施形態では、押し部材１０は、ＬＥＤ１３（発光素子）の光を当該ＬＥＤ１３とは離れた筐体２の前面２ａ１側へ導く導光部１０ｃを有している。
【００６６】
このような構成によれば、例えば、押し部材１０に設けられた導光部１０ｃを利用してサイドキー１６の電源ステータス等を前面２ａ１側に表示することができる。
【００６７】
また、本実施形態では、電子機器１は、筐体２に収容され、ＬＥＤ１３とスイッチ１２とが実装された基板１１を備えている。
【００６８】
このような構成によれば、例えば、ＬＥＤ１３とスイッチ１２とのそれぞれに対応付けて基板１１が設けられた場合と比較して、部品点数を減らすことができる分、製造の手間やコストをより低くすることができたり、よりコンパクトに構成できたりする。
【００６９】
また、本実施形態では、基板１１には、複数のスイッチ１２が設けられ、押し部材１０は、複数のスイッチ１２のそれぞれに対応して設けられた複数の中継部１０ａと、複数の中継部１０ａを接続するとともに当該中継部１０ａがスイッチ１２のそれぞれを個別に押圧可能な状態に支持した支持部１０ｂと、を有している。
【００７０】
このような構成によれば、例えば、複数の中継部１０ａが支持部１０ｂによって一体化されていない場合と比較して、押し部材１０の組付けやメンテナンス（分解）等の作業性がより向上しやすい。
【００７１】
また、本実施形態では、電子機器１は、筐体２に収容され、複数の中継部１０ａと複数のスイッチ１２とのそれぞれがＺ方向に対向する状態に基板１１と押し部材１０とを一体に保持する保持部材１５を備えている。
【００７２】
このような構成によれば、例えば、保持部材１５によって押し部材１０の中継部１０ａと基板１１のスイッチ１２とのＺ方向の位置合わせが、より容易に、より迅速に、あるいはより精度よく行われやすい。
【００７３】
また、本実施形態では、筐体２は、上壁２ｄと交差した後壁２ｂ（第二壁）を有し、後壁２ｂには、ベース部８ａと上壁２ｄの外面２ｄ１との間から浸入した水を排出可能な排水口２３と、排水口２３の上壁２ｄとは反対側で当該上壁２ｄに沿って延びたリブ２４と、が設けられている。
【００７４】
このような構成によれば、例えば、排水口２３およびリブ２４によって筐体２内への水の浸入を抑制することができ、ひいては当該水の浸入によって生じるスイッチ１２や当該スイッチ１２が実装される基板１１等への影響がより抑制されやすい。
【００７５】
以上、本発明の実施形態が例示されたが、上記実施形態は一例であって、発明の範囲を限定することは意図していない。上記実施形態は、その他の様々な形態で実施されることが可能であり、発明の要旨を逸脱しない範囲で、種々の省略、置き換え、組み合わせ、変更を行うことができる。また、各構成や、形状、等のスペック（構造や、種類、方向、形式、大きさ、長さ、幅、厚さ、高さ、数、配置、位置、材質等）は、適宜に変更して実施することができる。
【符号の説明】
【００７６】
１…電子機器、２…筐体、２ｂ…後壁（第二壁）、２ｄ…上壁（第一壁）、２ｄ１…外面、２ｓ…貫通孔、２ｓ１…内面、８…押しボタン、８ａ…ベース部、８ｂ…挿入部、９ａ…アンテナ、１０…押し部材、１０ａ…中継部、１０ｂ…支持部、１０ｃ…導光部、１１…基板、１２…スイッチ、１３…ＬＥＤ（発光素子）、１４…シール部材、１５…保持部材、２３…排水口、２４…リブ、Ｘ…第二方向、Ｚ…第一方向。
【要約】
【課題】筐体内への水の浸入によって生じるスイッチへの影響を抑制できるような新規な構成の電子機器を得る。
【解決手段】電子機器１は、例えば、貫通孔２ｓが設けられた上壁２ｄ（第一壁）を有した筐体２と、筐体２に収容され上壁２ｄと交差したＺ方向（第一方向）に貫通孔２ｓと離れて位置されたスイッチ１２と、筐体２に収容され貫通孔２ｓと面した位置からスイッチ１２と面した位置まで延びた中継部１０ａを有した押し部材１０と、上壁２ｄの外面２ｄ１に露出したベース部８ａと、ベース部８ａから中継部１０ａに向けて延びるとともに貫通孔２ｓに挿入された挿入部８ｂと、を有し、中継部１０ａを介してスイッチ１２を押圧可能な押しボタン８と、少なくとも挿入部８ｂと貫通孔２ｓの内面２ｓ１との間に介在されたシール部材１４と、を備える。
【選択図】図６【図１】
0006905201.tif 000002
【図２】
0006905201.tif 000003
【図３】
0006905201.tif 000004
【図４】
0006905201.tif 000005
【図５】
0006905201.tif 000006
【図６】
0006905201.tif 000007
【図７】
0006905201.tif 000008
【図８】
0006905201.tif 000009
【図９】
0006905201.tif 000010